(57)【特許請求の範囲】
【請求項１】
演算装置を有するプリント基板を少なくとも１枚及び演算装置を持たない複数のプリント基板を装備する画像形成装置において、各プリント基板にプリント基板搭載部品の寿命情報を記憶するメモリ装置と、外部の部品寿命検査装置による該寿命情報の読み出しとクリア及びリユース回数の書込み・読み出しが可能な共通のインターフェイスとを設けることを特徴とする画像形成装置。
【請求項２】
メモリ装置が不揮発性であり、演算装置により各プリント基板のメモリ装置に対し寿命情報の書込み・読み出しが可能であることを特徴とする請求項１記載の画像形成装置。
【請求項３】
演算装置により書込み・読み出しが可能な不揮発性メモリ装置を有するプリント基板が少なくとも一つ用いられていることを特徴とする請求項１記載の画像形成装置。
【請求項４】
演算装置により書き込むデータが、プリント基板の通電時間、通電回数、最新使用年月日、故障情報の少なくとも一つであることを特徴とする請求項３記載の画像形成装置。
【請求項５】
演算装置とプリント基板のメモリ装置をシリアルバスまたはパラレルバスで接続することを特徴とする請求項１〜４のいずれか１項に記載の画像形成装置。
【請求項６】
請求項１〜５のいずれか１項に記載の画像形成装置のプリント基板に設けられた寿命情報を記憶するメモリ装置に、寿命情報と一緒にセキュリティコードを記憶させるメモリ装置であって、該セキュリティコードは、暗号化され、かつ画像形成装置または外部の部品寿命検査装置により書き換え可能であることを特徴とするメモリ装置。
【請求項７】
記憶領域が、外部の部品寿命検査装置により書き換えができるが画像形成装置では書き換えができないプロテクト手段を設けた第１の記憶領域、画像形成装置により書き換えができるが外部の部品寿命検査装置では書き換えができないプロテクト手段を設けた第２の記憶領域、及び画像形成装置と外部の部品寿命検査装置の両方で書き換えができる第３の記憶領域からなり、第１の記憶領域が第１のセキュリティコード（ＩＤコードと許可機種コード）と第１の寿命情報からなり、第２の記憶領域が第２の寿命情報からなり、第３の記憶領域が第２のセキュリティコード（ＵＳＥコード）からなることを特徴とする請求項６記載のメモリ装置。
【請求項８】
演算装置を有するプリント基板を少なくとも１枚及び演算装置を持たない複数のプリント基板を装備する画像形成装置において、各プリント基板に請求項７記載のメモリ装置を設け、該メモリ装置から寿命情報とセキュリティコードを読み出し、制御基板が記憶している機種コードと第１のセキュリティコードの内の許可機種コードが一致しているかどうか判断する画像形成装置であって、第１、第２のセキュリティコードのうち、先に第１のセキュリティコードを読み出し、一致しないと判断した場合、その旨の内容を表示する手段を設けることを特徴とする画像形成装置。
【請求項９】
前記判断で一致しないと判断した場合、その旨の内容を表示し、画像形成動作を禁止することを特徴とする請求項８記載の画像形成装置。
【請求項１０】
前記判断で一致しないと判断した場合、その旨の内容をネットワーク回線または電話回線により管理者に情報伝達することを特徴とする請求項８記載の画像形成装置。
【請求項１１】
前記判断結果に基づき、第２の記憶領域を書き換えることを特徴とする請求項８記載の画像形成装置。
【請求項１２】
演算装置を有するプリント基板を少なくとも１枚含む複数のプリント基板を装備する画像形成装置の各プリント基板に請求項７記載のメモリ装置を設け、該メモリ装置から寿命情報とセキュリティコードを読み出し、制御基板が記憶している機種コードと第１のセキュリティコードの内の許可機種コードが一致しているかどうか判断することを特徴とする判断処理方法。
【請求項１３】
第１、第２のセキュリティコードのうち、先に第１のセキュリティコードを読み出すことを特徴とする請求項１２記載の判断処理方法。
【発明の詳細な説明】
【０００１】
【発明の属する技術分野】
本発明は、メモリ装置を有する画像形成装置及び判断処理方法に関する。
【０００２】
【従来の技術】
環境保護の観点から、１度使用したプリント基板上の部品を検査して寿命の限界（耐用年数）に近い部品のみを新品と交換して、または１度使用したプリント基板上の部品を製品に使用していくリユースが近年要求され、また２０００年から法制化され義務化された。プリント基板のリユースについても例外ではなく、各メーカーによりリユースが行われている。プリント基板上の部品としては、耐用年数が短い電解コンデンサー、発光ＬＥＤ、キースイッチ、電池、液晶、ヒューズ抵抗、ヒューズ等が交換部品の対象となる。
【０００３】
従来、交換するかしないかの判断をする情報として、通電時間、通電回数、通電年月日、故障情報等を画像形成装置の制御基板（以下メイン基板ともいう）の不揮発性メモリで集中的に記憶させていた（特開２０００−３１６１０号等）。そのため、返却された複写機、プリンター、ファクシミリ等からメイン基板の不揮発性メモリのデータを読み取り、その情報をタグにして紙または電子ファイルで各ユニット（１個以上のプリント基板からなり、特定の機能を有する部材）に添付する必要があった。
【０００４】
このため、画像形成装置の分解工程で、プリント基板上の部品個々に対応した寿命情報を作成する作業が必要となり、ユニットの部品交換メーカーは、その情報を基に個々の部品の管理データを再度作成していた。また、リユース品を装置に組み込む場合、組立工程で部品メーカーからの納入データを基に、寿命情報を集中的に記憶するメイン基板の不揮発性メモリのデータを書き換える必要があった。
【０００５】
さらに、メイン基板が故障、または集中的に記憶していた不揮発性メモリが破損していた場合はデータを読み出すことができなくなり、その装置に使用していた全部品はリユースできなくなる弊害もあった。
【０００６】
また、従来セキュリティコードを寿命情報と合わせて記憶させることは行われていなかった。今後、リサイクル、リユース製品が普及し始めると、部品メーカーが直接納入する工場生産品とサービスマンが部品交換する複写機等の大型装置以外で、特に個人でユニットを調達して交換する場合は不正リユース品（海賊品）と知らずに交換してしまう場合が想定される。この場合、リユース品の特性保証が確保されないため、部品が正常に動作せず画像形成装置が使用できなくなる可能性がある。
【０００７】
また、画像形成装置側で適用可能なリユース品かどうか判断する手段がなかったため、適用外リユース品が誤って装着されても判らず、製品として出荷されてしまう可能性があった。
【０００８】
【発明が解決しようとする課題】
本発明の第１の目的は、リユースのための画像形成装置の分解工程での部品情報作成工程の軽減、ユニットの部品交換メーカーの部品管理の簡易化、装置組立工程での寿命情報書き換え工程の削除、寿命情報書き換え時の誤記入防止、各部品メーカーの検査方法の統一と検査作業性の向上、メイン基板破損時においても個別の部品寿命情報入手が可能なメモリ装置を有する画像形成装置を提供することである。
【０００９】
第２の目的は、不正リユース部品の装着防止及び適応機種のリユース部品かどうかを画像形成装置側で判断し、組立時の誤装着防止可能な画像形成装置及び判断処理方法を提供することである。
【００１０】
【課題を解決するための手段】
本発明の上記目的は以下の手段により達成される。
【００１１】
１．演算装置を有するプリント基板を少なくとも１枚及び演算装置を持たない複数のプリント基板を装備する画像形成装置において、各プリント基板にプリント基板搭載部品の寿命情報を記憶するメモリ装置と、外部の部品寿命検査装置による該寿命情報の読み出しとクリア及びリユース回数の書込み・読み出しが可能な共通のインターフェイスとを設けることを特徴とする画像形成装置。
【００１２】
２．メモリ装置が不揮発性であり、演算装置により各プリント基板のメモリ装置に対し寿命情報の書込み・読み出しが可能であることを特徴とする上記１記載の画像形成装置。
【００１３】
３．演算装置により書込み・読み出しが可能な不揮発性メモリ装置を有するプリント基板が少なくとも一つ用いられていることを特徴とする上記１記載の画像形成装置。
【００１４】
４．演算装置により書き込むデータが、プリント基板の通電時間、通電回数、最新使用年月日、故障情報の少なくとも一つであることを特徴とする上記３記載の画像形成装置。
【００１５】
５．演算装置とプリント基板のメモリ装置をシリアルバスまたはパラレルバスで接続することを特徴とする上記１〜４のいずれか１項に記載の画像形成装置。
【００１９】
６．上記１〜５のいずれか１項に記載の画像形成装置のプリント基板に設けられた寿命情報を記憶するメモリ装置に、寿命情報と一緒にセキュリティコードを記憶させるメモリ装置であって、該セキュリティコードは、暗号化され、かつ画像形成装置または外部の部品寿命検査装置により書き換え可能であることを特徴とするメモリ装置。
【００２３】
７．記憶領域が、外部の部品寿命検査装置により書き換えができるが画像形成装置では書き換えができないプロテクト手段を設けた第１の記憶領域、画像形成装置により書き換えができるが外部の部品寿命検査装置では書き換えができないプロテクト手段を設けた第２の記憶領域、及び画像形成装置と外部の部品寿命検査装置の両方で書き換えができる第３の記憶領域からなり、第１の記憶領域が第１のセキュリティコード（ＩＤコードと許可機種コード）と第１の寿命情報からなり、第２の記憶領域が第２の寿命情報からなり、第３の記憶領域が第２のセキュリティコード（ＵＳＥコード）からなることを特徴とする上記６記載のメモリ装置。
【００２４】
８．演算装置を有するプリント基板（以下、メイン基板ともいう）を少なくとも１枚及び演算装置を持たない複数のプリント基板を装備する画像形成装置において、各プリント基板に上記７記載のメモリ装置を設け、該メモリ装置から寿命情報とセキュリティコードを読み出し、制御基板が記憶している機種コードと第１のセキュリティコードの内の許可機種コードが一致しているかどうか判断する画像形成装置であって、第１、第２のセキュリティコードのうち、先に第１のセキュリティコードを読み出し、一致しないと判断した場合、その旨の内容を表示する手段を設けることを特徴とする画像形成装置。
【００２７】
９．前記判断で一致しないと判断した場合、その旨の内容を表示し、画像形成動作を禁止することを特徴とする上記８記載の画像形成装置。
【００２８】
１０．前記判断で一致しないと判断した場合、その旨の内容をネットワーク回線または電話回線により管理者に情報伝達することを特徴とする上記８記載の画像形成装置。
【００２９】
１１．前記判断結果に基づき、第２の記憶領域を書き換えることを特徴とする上記８記載の画像形成装置。
【００３０】
１２．演算装置を有するプリント基板を少なくとも１枚含む複数のプリント基板を装備する画像形成装置の各プリント基板に上記７記載のメモリ装置を設け、該メモリ装置から寿命情報とセキュリティコードを読み出し、制御基板が記憶している機種コードと第１のセキュリティコードの内の許可機種コードが一致しているかどうか判断することを特徴とする判断処理方法。
【００３１】
１３．第１、第２のセキュリティコードのうち、先に第１のセキュリティコードを読み出すことを特徴とする上記１２記載の判断処理方法。
【００３２】
以下、本発明について説明する。
本発明の第１の目的は、メイン基板に演算装置を設け、その他の演算装置を持たない複数のプリント基板のメモリを制御し、個々のプリント基板に通電時間等の部品寿命情報を記憶するメモリ装置を設け、各基板に設けられたメモリ装置と外部の部品寿命検査装置（以下治具ともいう）とのインターフェイスとコネクター仕様を統一することにより達成される。
【００３３】
また、第２の目的は、部品寿命情報にセキュリティコードまたは、暗号化されたセキュリティコードを付加し、複写機やプリンター等画像形成装置側でセキュリティコードを解読することにより達成される。
【００３４】
画像形成装置を構成するプリント基板には、制御基板、駆動基板、センサー基板、高圧電源基板、ＤＣ電源基板、ＡＣ駆動基板、操作部基板、画像処理基板、ランプ駆動基板、書込駆動基板等がある。画像形成装置のプリント基板上の部品とは、電解コンデンサー、発光ＬＥＤ、キースイッチ、電池、液晶、ヒューズ抵抗、ヒューズ等の耐用年数が短い部品、及び駆動制御回路、プリンター駆動ＩＣ、電源（ＤＣ）等の比較的寿命が長い部品をいう。本発明でリユースの対象は、主として耐用年数が短い部品である。
【００３５】
本発明の画像形成装置の寿命情報とは、通電時間、通電回数、最新使用年月日、故障情報、プリント枚数等をいう。
【００３６】
本発明の不揮発性のメモリ装置とは、電源なしで記憶が保持されるメモリ装置で、小容量で低価格のＥＥＰＲＯＭ、電池付きのＳＲＡＭ、大容量のフラッシュメモリ等があり、本発明ではＥＥＰＲＯＭが好ましい。メイン基板の演算装置または外部の部品寿命検査装置は、このメモリ装置に対し寿命情報の書き込み・読み出しを行うことができる。個々の基板のメモリ装置を不揮発性にすることにより、プリント基板単体での寿命情報の書き込み・読み出しが可能である。
【００３７】
本発明の画像形成装置は、オプション装置として画像形成装置本体に付属させる装置、例えば、ＦＮＳ（ソーター）、ＬＣＴ（大量給紙トレー）、ＡＤＦ、ＤＤＦ等を含んでもよく、本発明で画像形成装置とは、これらを合わせたものをいう。
【００３８】
各プリント基板のメモリ装置には、製造時に各部品の型名、メーカー名、出荷年月日、寿命期限等のデータが書き込まれているが、部品寿命検査装置では新たに、リユース回数の書き込み、前記寿命情報のクリアを行う。
【００３９】
本発明で２種のプロテクト領域を設けた理由は、画像形成装置の通常の使用時には書き換えない方がよい情報（第１の寿命情報）と、部品寿命検査段階では書き換えない方がよい情報（第２の寿命情報）の２種類があるためである。ただし、第１または第２のセキュリティコードがあれば、それぞれ画像形成装置の使用時にまたは部品寿命検査時に書き換え可能である。
【００４０】
【発明の実施の形態】
以下、本発明の好ましい実施の形態について説明する。
【００４１】
図１は、外部の部品寿命検査装置及び被検査ユニットのブロック回路図である。不揮発性のメモリ装置２は、狭義のメモリ部分と書き込み・読み出し用インターフェイス回路（Ｉ／Ｆ回路）をワンチップ化したもので、各プリント基板（以下単に基板ともいう）に取り付ける。狭義のメモリ部分は、ＥＥＰＲＯＭか誘電体ＳＲＡＭを用い、バックアップ電池なしとする。Ｉ／Ｆ回路はシリアル／パラレル変換回路またはシリアル通信制御回路とする。また、書き込み・読み出し用外部接続コネクターは、外部の部品寿命検査装置のインターフェイス回路を通して部品寿命検査装置に接続できるように信号配列とコネクターを統一し各基板に設ける。または、図１には記載していないが統一した信号パターンをプリント基板上に設け、この信号パターンと部品寿命検査装置を接続することもできる。
【００４２】
外部の部品寿命検査装置にはパソコンを使用し、各プリント基板のメモリ装置からインターフェイス回路を通してデータをパソコンのＨＤＤに格納する。またはこのパソコンに接続したデータサーバーにデータを格納することもできる。
【００４３】
図２は、画像形成装置のプリント基板のブロック回路図である。演算装置（ＣＰＵ）は、画像形成装置全体を制御するメイン基板（基板Ａ）に設け、その他の基板（基板Ｂ、Ｃ、Ｄ）やオプション装置の基板Ｅには設けないのが全体のコスト面から好ましい。
【００４４】
メイン基板のメモリ装置１は、例えば複写機現像剤濃度の基礎データ、帯電電位、感光体の使用回数、印字率等の記憶が必要で、その他の基板のメモリ装置２よりも大容量が要求されるため、電池付きのＳＲＡＭ、大容量のフラッシュメモリ等が好ましい。その他の基板のメモリは、ＥＥＰＲＯＭが好ましい。
【００４５】
メイン基板の演算装置は、シリアルバスまたはパラレルバスを通してメイン基板のメモリ装置１、ＲＯＭ、ＲＡＭ、不揮発性ＲＡＭ及びその他の基板のメモリ装置２に接続されている。バスの種類の選択は、速度、コスト等のバスの特徴を考慮して行う。また、揮発性メモリからのデータの書き込み・読み出しを無線で行うこともできる。
【００４６】
メイン基板の演算装置は、データバスを通して画像形成装置の各プリント基板のメモリ装置２に第２の寿命情報（後述）の書き込み・読み出しを行うことができる。部品寿命検査装置は、メイン基板の外部接続コネクターを通してメイン基板経由で、その他のプリント基板の寿命情報を一括して部品寿命検査装置に読み出すことができる。また、部品寿命検査装置は、各プリント基板の外部接続コネクターを通して個別にプリント基板の寿命情報読み出すこともできる。
【００４７】
図３は、外部の部品寿命検査装置によるプリント基板搭載部品の寿命情報処理を示すフローチャートである。部品寿命検査装置を各プリント基板の外部接続コネクターに接続し、メモリ装置の第１の記憶領域に記憶された第１のセキュリティコードのうちのＩＤコードを読み取る。ＩＤコードはメーカー名、シリアルＮｏ．、部品名等からなり、部品寿命検査装置の検査ソフト内にある予め決められたコード内容と一致しないときは、偽造品もしくは不正品と判断し、不正処理１を実施する。予め決められたコードとは、偽造品もしくは不正品を排除するためのパスワードの性格を持つ。これらの判断は部品寿命検査装置の検査ソフトにプログラムされている。不正処理１では、適合しない不正品であると操作部に表示するか、ネットワーク回線または電話回線により管理者に適合しない不正品であると情報伝達するか、または不正品として作業ラインから自動的に排除する。
【００４８】
ＩＤコードが予め決められたコード内容と一致するときは、リユース回数と予め決められている使用許可回数を比較する。リユース回数が使用許可回数以上のときは、部品寿命検査装置内に使用不可データ（データ＝０）を作成し、第１の記憶領域のプロテクトを解除し、作成した使用不可データを許可機種コードに入力する。その後、第１の記憶領域を再プロテクトし、廃棄処理を実施する。廃棄処理では、メモリ装置から寿命情報を読み取った後、廃棄ラインにプリント基板を搬送する。また、ＩＤコードと寿命情報は前記データサーバーに保管することが好ましい。
【００４９】
リユース回数が使用許可回数未満のときは、リユース処理を実施する。リユース処理では、メモリ装置から寿命情報を読み取り、交換すべき部品があればそのリストを出力する。出力されたリストはユニットまたはプリント基板に貼り付け、リユースラインに搬入する。ＩＤコード、寿命情報、交換部品リストは履歴として前記データサーバーに保管することが好ましい。
【００５０】
図４は、図３で説明したリユース処理、部品交換終了後、外部の部品寿命検査装置による寿命情報書き込み処理を示すフローチャートである。ＩＤコードを読み取り、予め決められたコード内容と一致しないときは、偽造品もしくは不正品と判断し、前記不正処理１を実施する。
【００５１】
ＩＤコードが予め決められたコード内容と一致するときは、第１の記憶領域のプロテクトを解除し、第１の寿命情報の１つのリユース回数を＋１してメモリ装置に記憶させ、リユース品製造年月日を入力する。その後、第１の記憶領域を再プロテクトし、使用した画像形成装置の機種コードが書かれているＵＳＥコードをクリア（データ＝０）し、出荷処理を実施する。出荷処理では、プリント基板を出荷ラインに搬送する。ＩＤコード、リユース回数、リユース品製造年月日のデータは上記データサーバーに保管することが好ましい。
【００５２】
図５は、メモリ装置の記憶領域を示す図である。記憶領域は、外部の部品寿命検査装置で書き換えができるが画像形成装置内では書き換えができないプロテクト手段を設けた第１の記憶領域、画像形成装置内で書き換えができるが外部の部品寿命検査装置からは書き換えができないプロテクト手段を設けた第２の記憶領域、及び画像形成装置と外部の部品寿命検査装置の両方で書き換えができる第３の記憶領域からなる。第１の記憶領域は第１のセキュリティコードと第１の寿命情報からなり、第２の記憶領域は第２の寿命情報からなり、第３の記憶領域は第２のセキュリティコードからなる。
【００５３】
第１のセキュリティコードはＩＤコードと許可機種コードからなり、第１の寿命情報はリユース回数、リユース品製造年月日等からなる。第２の寿命情報は、通電時間、通電回数、最新使用年月日、故障情報、プリント枚数等からなる。第２のセキュリティコード（ＵＳＥコード）は今使用している画像形成装置の機種コードである。
【００５４】
セキュリティコードは特殊記号を付加して暗号化することが好ましい。例えば、許可機種コードとリユース情報（リユース回数、リユース品製造年月日等）から暗号化する。
【００５５】
図６は、画像形成装置の電源投入時に行う処理を示すフローチャートである。各ユニットから、メーカー名、シリアルＮｏ．、部品名等からなるＩＤコードを読み取る。ＩＤコードが、予め決められたコード内容と一致しないときは、偽造品もしくは不正品と判断し、不正処理２を実施する。これらの判断は主基板のＲＯＭ内にプログラムされている。不正処理２では、適合しない不正品であると操作部に表示するか、またはネットワーク回線または電話回線により管理者に適合しない不正品であると情報伝達すると同時に、画像形成動作を禁止する。
【００５６】
ＩＤコードが予め決められたコード内容と一致するときは、そのユニットが使用できる画像形成装置の機種であるか、リユース回数が使用許可回数を越えていないかのチェックを行う。ユニットが使用できる画像形成装置の機種であるかどうかは、ユニットのメモリ装置の許可機種コードと主基板のＲＯＭ内の装置機種コードを比較する。ユニットが使用できない画像形成装置の機種であるか、またはリユース回数が使用許可回数以上のときは、不正処理３を実施する。不正処理３では、適合しない不正品であると操作部に表示するか、またはネットワーク回線または電話回線により管理者に適合しない不正品であると情報伝達すると同時に、画像形成動作を禁止する。
【００５７】
ユニットが使用できる画像形成装置の機種であり、かつ、リユース回数が許可使用回数未満のときは、ＵＳＥコードがクリア（データ＝０）されているかチェックを行う。クリアされていないときはそのままで、クリアされているときは今使用している画像形成装置の機種コードを入力する。次に、通電時間、通電回数を集計し、第２の記憶領域のプロテクトを解除し、通電時間、通電回数を書き換え、最新使用年月日等のその他の第２の寿命情報を入力する。その後、第２の記憶領域を再プロテクトする。
【００５８】
図７は、画像形成装置によるプリント基板搭載部品の寿命情報処理を示すフローチャートである。画像形成装置が作像動作中（コピーまたはプリント動作中）は、画像形成プロセスカウンター（プリント枚数計等）、プリント基板の稼働時間等の寿命情報データを計測し、プリント基板のメモリ装置または主基板のＣＰＵの内部レジスターに一時記憶する。作像動作終了時は、このデータを基に寿命情報を作成（演算処理）し、各ユニットのメモリ装置の第２の記憶領域のプロテクトを解除し、寿命情報を入力し、その後第２の記憶領域を再プロテクトする。
【００５９】
別の形態として、画像形成装置が作像動作中に各ユニットのメモリ装置に演算結果のデータを記憶させてもよい。
【００６０】
図８は、画像形成装置によるプリント基板搭載部品のもう一つの寿命情報処理を示すフローチャートである。ユニットに電源が供給されているかどうかをチェックし、供給されている場合は、予め決められた計測時間／集計時間に従って通電時間を計測し積算し、第２の記憶領域のプロテクトを解除し、通電時間を積算通電時間に書き換え、その後第２の記憶領域を再プロテクトする。このルーチンはユニットに電源が供給されている間は、予め決められた計測時間／集計時間に従って繰り返される。ユニットに電源が供給されていないか、予め決められた計測時間／集計時間でなければこの処理は実施しない。
【００６１】
【発明の効果】
本発明により、リユースのための画像形成装置の分解工程での部品情報作成工程の軽減、ユニットの部品交換メーカーの部品管理の簡易化、装置組立工程での寿命情報書き換え工程の削除、寿命情報書き換え時の誤記入防止、各部品メーカーの検査方法の統一と検査作業性の向上、メイン基板破損時においても個別の部品寿命情報入手が可能なメモリ装置を有する画像形成装置を提供することができる。
【００６２】
また、不正リユース部品の装着防止及び適応機種のリユース部品かどうかを画像形成装置側で判断し、組立時の誤装着防止可能な画像形成装置及び判断処理方法を提供することができる。
【図面の簡単な説明】
【図１】外部の部品寿命検査装置及び被検査プリント基板のブロック回路図である。
【図２】画像形成装置のプリント基板のブロック回路図である。
【図３】外部の部品寿命検査装置によるプリント基板搭載部品の寿命情報処理を示すフローチャートである。
【図４】外部の部品寿命検査装置の寿命情報書き込み処理を示すフローチャートである。
【図５】メモリ装置の記憶領域を示す図である。
【図６】画像形成装置の電源投入時に行う処理を示すフローチャートである。
【図７】画像形成装置によるプリント基板搭載部品の寿命情報処理を示すフローチャートである。
【図８】画像形成装置によるプリント基板搭載部品の寿命情報処理を示すフローチャートである。
【図１】
0004304868.tif 000002
【図２】
0004304868.tif 000003
【図３】
0004304868.tif 000004
【図４】
0004304868.tif 000005
【図５】
0004304868.tif 000006
【図６】
0004304868.tif 000007
【図７】
0004304868.tif 000008
【図８】
0004304868.tif 000009